(57)【要約】  本発明は細胞の代謝を減弱化する装置に関するものであり，この装置はアプリケータ（３）に接続され，かつコンピュータ（１）に制御されたパルス信号発生器（２）により構成される。アプリケータ（３）は，少なくとも１つの環状コイル（４）又は，同軸に配置され，かつ並列接続された少なくとも２つの環状コイル（４）から成る組み立て部（５）を備える環状コイル（４）のリード線はパルス信号発生器（２）の出力に接続される。パルス信号発生器（２）は，急峻な先端及び後端を有する単極矩形信号の発生器又は高速双極信号掃引を伴う双極矩形信号の発生器のいずれかである。環状コイル（４），又は，同軸に配置され，かつ並列接続された少なくとも２つの環状コイル（４）から成る組み立て部（５）は，例えば平面又は球面上に配置することができ，パルスベクトル磁位をもたらすために空間的に調節可能な対称軸を有することができる。この装置の機能の原理は，生体物質を破壊し非可逆的な効果を及ぼすパルスベクトル磁位を生成することにある。現時点で，パルスベクトル磁位は，磁場，電場，及び電磁場の作用が排除された場合でさえも，差し当たり，選択された種類の生体細胞における電気化学プロセスに顕著な効果を及ぼすことが実験的に検証されている。
2009539511.tif 000002
【特許請求の範囲】
【請求項１】
コンピュータ（１）に制御され，かつアプリケータ（３）に接続されたパルス信号発生器（２）を含み，前記アプリケータ（３）は，パルスベクトル磁位を生成するための，少なくとも１つの環状コイルを備え，前記環状コイルは前記パルス信号発生器（２）の出力に接続されることを特徴とする細胞の代謝を減弱化する装置。
【請求項２】
前記アプリケータ（３）は，同軸に配置され，かつ並列接続された少なくとも２つの前記環状コイル（４）から成る組み立て部（５）を備え，前記環状コイルのリード線は前記パルス信号発生器（２）の前記出力に接続されることを特徴とする請求項１記載の装置。
【請求項３】
前記パルス信号発生器（２）は急峻な先端及び後端を有する単極矩形信号の発生器であることを特徴とする請求項１又は２記載の装置。
【請求項４】
前記パルス信号発生器（２）は高速双極信号掃引を伴う双極矩形信号の発生器であることを特徴とする請求項１又は２記載の装置。
【請求項５】
前記アプリケータ（３）は，表面に配置される少なくとも２つの隣接する前記環状コイル（４）により構成され，前記環状コイル（４）の前記リード線は，前記パルス信号発生器（２）の前記出力に接続されることを特徴とする請求項１記載の装置。
【請求項６】
前記環状コイル（４）が配置される前記表面は球面状であることを特徴とする請求項５記載の装置。
【請求項７】
前記アプリケータ（３）は，同軸に配置され，かつ並列接続された複数の前記環状コイル（４）から成る，少なくとも２つの隣接した表面実装組み立て部（５）により構成され，前記環状コイル（４）の前記リード線は前記パルス信号発生器（２）の前記出力に接続されることを特徴とする請求項２記載の装置。
【請求項８】
並列接続された複数の前記環状コイル（４）から成る前記組み立て部（５）が配置された前記表面が球面上であることを特徴とする請求項７記載の装置。
【請求項９】
前記アプリケータ（３）は，前記焦点（７）に向かう空間的に調節可能な対称軸を有する円（８）の周囲に設置された少なくとも２つの前記環状コイル（４）により構成されることを特徴とする請求項１記載の装置。
【請求項１０】
前記アプリケータ（３）は，空間的に調節可能な前記対称軸を有する前記円（８）の周囲に，同軸に配置され，かつ並列接続された複数の前記環状コイル（４）から成る，少なくとも２つの隣接した前記組み立て部（５）により構成され，前記環状コイル（４）の前記リード線は前記パルス信号発生器（２）の前記出力に接続されることを特徴とする請求項２記載の装置。
【請求項１１】
前記環状コイル（４）は絶縁導体から成る環状コイルであり，金属製又は非金属製の保護筐体に保持されることを特徴とする請求項１又は２記載の装置。
【請求項１２】
前記環状コイル（４）は超伝導材料製であり，超伝導条件を保持するために恒温保護筐体に保持されることを特徴とする請求項１又は２記載の装置。
【発明の詳細な説明】
【技術分野】
【０００１】
本発明はアプリケータに接続され，パルス信号のコンピュータ制御発生器により構成された，細胞の代謝を減弱化する装置に関する。
【背景技術】
【０００２】
今日，人々が被る最も悪質で広範囲に及ぶ疾病の一つは癌，すなわち人体における細胞の悪性腫瘍性の増殖である。
【０００３】
今日，医学はこの増殖と戦うために３つの基本的な処置を有する。それらの処置は別々に，或いはそれらを組み合わせて利用することができる。
【０００４】
第１の処置は化学療法である。これは，経口或いは静脈注射により患者に施される。化学療法の短所は，投与される化学物質が，組織にとって有害な細胞のみを標的とすることが不可能なことである。つまり，化学療法は，腫瘍細胞を破壊するだけでなく，人体にとって有益な細胞にも大きな損傷を与えるのである。従って，患者は助かることもあるが，健康を犠牲にすることが多い。
【０００５】
もう一つの処置は，手術によって悪性腫瘍を除去することである。この処置の短所は，その成否が，その周りの正常組織を含めて腫瘍全体を除去できるか否かと，更なる転移が体内に浸潤しているか否かということにかかっていることである。更に，手術を経た何らかの治療介入が，悪性腫瘍によって既に弱体化している患者の身体を更に弱体化することになる。従って，病気にもかかわらず，このような治療を切り抜けるのに十分に強靱な人だけが手術を受けることができる。
【０００６】
三番目の処置である広く行われている処置は，Ｘ線からガンマ線までの様々な種類の放射線を用いて悪性腫瘍を照射することにある。この処置の短所は，これらの放射線は放射線の道筋にある全ての組織を破壊し，照射を必要とするスポットに放射線を集中させることが困難なことである。
【０００７】
発明の主題
細胞の代謝に及ぼすパルスベクトル磁位の減衰作用を利用する装置が存在しないという事実は，アプリケータに接続されたパルス信号のコンピュータ制御発生器で構成された細胞の代謝を減弱化する装置により解決される。ここで，本発明の本質は，アプリケータがパルスベクトル磁位を生成するための少なくとも１つの環状コイルを備えていることであり，該環状コイルはパルス信号発生器の出力に接続されている。しかし，好適な実施形態においては，アプリケータは，同軸に配置され，かつ並列接続された少なくとも２つの環状コイルから成る組み立て部を備えることもできる。環状コイルのリード線はパルス信号発生器の出力に接続されている。パルス信号発生器は非常に急峻な先端と後端とを有する単極矩形信号の発生器又は高掃引速度の双極信号を有する双極矩形信号の発生器である。
【０００８】
他の好適な実施形態において，アプリケータは表面に配置され，パルス信号発生器の出力に接続されたコイルリード線を備えた少なくとも２つの隣接する環状コイルにより構成される。これらの環状コイルを配置するのに好適な表面は球面状である。
【０００９】
他の好適な実施形態において，アプリケータは，表面に配置された，同軸に配置され，かつ並列接続された複数の環状コイルから成る少なくとも２つの隣接した組み立て部により構成され，コイルのリード線はパルス信号発生器の出力に接続される。並列接続された複数の環状コイルから成る組み立て部が配置される好適な表面は球面状である。
【００１０】
本発明の装置の更なる好適な実施形態において，アプリケータは円周上に配置され，焦点に向かう空間的に調節可能な対称軸を有する少なくとも２つの環状コイルにより構成され，該環状コイルのリード線はパルス信号発生器の出力に接続される。
【００１１】
本発明の装置の他の好適な実施形態において，アプリケータは円周上に同軸に組み立てられ，かつ並列接続された，空間的に調節可能な対称軸を有する少なくとも２つの隣接する環状コイルにより構成され，該環状コイルのリード線はパルス信号発生器の出力に接続される。
【００１２】
本発明の好適な実施形態において，環状コイルは絶縁導体から成る環状コイルであり，金属或いは非金属筐体中に配置される。
【００１３】
他の好適な実施形態において，環状コイルは超伝導材料の環状コイルであり，超伝導状態を保つために恒温保護筐体中に配置される。
【００１４】
以下，本発明を添付図面に基づき説明する。
【図面の簡単な説明】
【００１５】
【図１】本発明の装置の概略ブロック図である。
【図２】１つの環状コイルを有するアプリケータを示す。
【図３】表面に配置された複数の環状コイルを有するアプリケータを示す。
【図４】同軸に配置され，かつ並列接続された数個の環状コイルから成る，組み立て部を有するアプリケータを示す。
【図５】球面の一部に配置された複数の単独の環状コイル，或いは，同軸に配置され，かつ並列接続された複数の環状コイルを有するアプリケータを示す。
【図６】空間的に調節可能な対称軸を有し円周上に配置された，複数の単独の環状コイル，或いは，同軸に配置され，かつ並列接続された複数の環状コイルにより構成された組み立て部を有するアプリケータを示す。
【発明を実施するための形態】
【００１６】
悪性腫瘍を破壊するために用いられる現存の放射線の代わりに，悪性の成長細胞に作用する他の種類の力により，その成長を阻止することが可能かどうかを試験して，本発明の発明者は環状コイル及びそれらのコイルが発生するパルスベクトル磁位を採用した。
【００１７】
ベクトル磁位は，まず二重電場の記述との比較で磁場の記述における数学的表現により定義されたが，スカラー電位とは対照的に，その実在は想定されなかった。しかし，２０世紀の後半にその力の作用が発見された後は，この物理現象に関する見方が変わってきた。
【００１８】
固定或いは可変ベクトル磁位の実存を物理学的手法で証明する目的で，世界中で行われ論争の的となった幾つかの実験を除いて，今までに何度も測定可能な効果が検証されている。アハラノフ(Aharonov)とボーム(Bohm)によって行われた純粋な物理実験（１９５６年）により，ベクトル磁位の場の具体的効果が発見され，量子力学レベルで証明された。彼らの実験により，この場による真空中の電子移動のモーメントの変化が確立された。
【００１９】
ベクトル磁位の重要な性質は，この磁位の存在に通じる磁場の空間から分離及び絶縁された空間に，それが存在することである。この特異的な現象の直接の結論として，ベクトル磁位はおそらく基本的な重力のメカニズムであり，基本的な物理力と同格であるということを主張する仮説が現れた。しかし，この物理量を具体的用途に応用したという記録は今までなく，生体への影響を検知又は測定することに誰も成功していない。
【００２０】
非常に驚くべきことに，仮に磁場，電場，及び電磁場の作用を除いたとしても，パルスベクトル磁位が，選択された種類の生細胞中で起こる電気化学的プロセスに顕著な負の効果を有することが確立され，実験的に検証された。
【００２１】
前記知見に基づいて装置が設計された。この装置の作用は，この発明により，生体物質に及ぼすパルスベクトル磁位の破壊的かつ非可逆的効果にある。装置の基本原理を開発することにより，この装置の様々な改良設計が得られる。
【００２２】
図１における，パルスベクトル磁位の作用による細胞の代謝を減弱化する装置の接続状態を示す概略ブロック図は，コンピュータ１に制御されたパルス信号発生器２，及び，パルスベクトル磁位を発生するアプリケータ３で構成される。アプリケータ３の基本要素は，絶縁導体から成る環状コイル４或いは同軸に配置された複数の環状コイル４から成る組み立て部５である。
【００２３】
皮膚及び下皮或いは粘膜の局部治療のための，環状コイル４を有するアプリケータ３の設計変更品を図２に示す。ここで環状コイル４の破線軸は生体へのベクトル磁位の作用の方向を表す。
【００２４】
皮膚及び下皮或いは粘膜の一部の表面治療のための，表面方向に配置した環状コイル４を有するアプリケータ３の設計変更品を図３に示す。
【００２５】
集中的な作用を有する，皮膚の深部下層の局所治療のための，同軸に配置された複数の環状コイル４から成る組み立て部５を有するアプリケータ３の設計変更品を図４に示す。
【００２６】
焦点７に向かう破線の対称軸を有し，球面領域６の一部の表面に位置する，同軸に配置された複数の環状コイル４から成る複数の組み立て部５を有するアプリケータ３の設計変更品を図５に示す。ここで，アプリケータ３は最大破壊部位の外側にある細胞の損傷を抑制し，皮膚の深部下層を局所治療するように設計される。
【００２７】
焦点７に向かう空間的に調節可能な対称軸を有し，円８の周囲に配置された，複数の環状コイル４から成る複数の組み立て部５により構成された組み立て体を有するアプリケータ３の設計変更品を図６に示す。これらの環状コイル４に，パルスベクトル磁位の効果が修正できるようにプリセットパラメータ及び位相差を有するパルス信号が供給される。アプリケータ３は，治療される部位の外側にある細胞の損傷を抑制し，皮膚の深部下層の局所治療用に設計される。
【００２８】
発生器２を制御するコンピュータ１のソフトウエアにより，治療処方及び治療される生命体の反応に応じて個々の環状コイル４に入る駆動信号の重要なパラメータを全て制御することができる。アプリケータ３の種類，環状コイル４又は環状コイル４から成る組み立て部５のサイズ及び種類，並びに駆動信号のサイズ，周波数，及びパルス形状に応じて，減弱化作用は，様々な大きさの領域及び様々な深度の生体組織にもたらされることができる。
【００２９】
複数の環状コイル４から成る組み立て部５により構成されたアプリケータ３は，該アプリケータ３の方向性を強化することにより減弱化効果を増幅し，この減弱化効果は環状コイル４の対称軸において最大となる。
【００３０】
パルスベクトル磁位の場の効果はいかなる金属或いは非金属材料をも貫通するため，アプリケータ３は金属製或いは非金属製の保護筐体に収容された環状コイル４或いは環状コイル４から成る組み立て部５を有することができる。
【００３１】
単独で，或いは組み立て部５内に用いられた環状コイル４は，超伝導材料を巻き付けたもので，超伝導条件を保持する筐体に収容されていてもよい。これにより，より大きな駆動電流を用いること，特に環状コイル４の時間変動を加速することが可能となり，装置のパルスベクトル磁位の効果を増大し，装置の効果も増大する可能性がある。
【００３２】
記載された配置の利点は，球面に配置された環状コイル４或いは環状コイル４から成る組み立て部５は，それらの対称軸の焦点で最大の減弱化効果を有する一方で，個々の駆動装置の軸の経路に沿って，生体組織は少ない副作用(less negatively)でストレスを受ける。
【００３３】
アプリケータ３が空間的に調節可能な対称軸を有し，生体組織の周囲の円周上に配置する環状コイル４，或いは，環状コイル４から成る組み立て部５により構成される場合，個々の駆動パルスのサイズ，形状，期間，繰り返し周波数，及び時間シフトにより，環状コイルの決定された対称軸の焦点に最大減弱化効果を集中することが可能となる。
【産業上の利用可能性】
【００３４】
化学療法と組み合わせた生体組織への磁場及び光照射野の非接触作用に関する現在の研究結果を，特にパルスベクトル磁位の場の存在下で有利に使用し，医学的に使用される。これにより，例えば，プログラムされた刺激，また一方で，大きな面積の皮膚又は粘膜の細胞の代謝の減弱化が可能となる。パルスベクトル磁位の力の作用を応用することで，人体組織が，治療法の原則に従って，その組織を損傷する（光，Ｘ線，及び電離放射線のスペクトル領域にある）電磁場の集中作用に曝されるような治療方法において特に利点が大きい。
【００３５】
一例として，図２，３，４，及び５に示すアプリケータを用いる，皮膚，下皮，粘膜の表面の悪性腫瘍を阻止する装置が提供され，図５又は６に示すアプリケータを用いる，組織内部の悪性腫瘍を阻止する装置が提供される。
【図１】
2009539511.tif 000003
【図２】
2009539511.tif 000004
【図３】
2009539511.tif 000005
【図４】
2009539511.tif 000006
【図５】
2009539511.tif 000007
【図６】
2009539511.tif 000008
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
コンピュータ（１）に制御され，かつアプリケータ（３）に接続されたパルス信号発生器（２）を含み，前記アプリケータ（３）は，パルスベクトル磁位を生成するための，絶縁導体から成る少なくとも１つの環状コイルを備え，前記環状コイルは前記パルス信号発生器（２）の出力に接続されることを特徴とする細胞の代謝を減弱化する装置。
【請求項２】
前記アプリケータ（３）は，同軸に配置され，かつ並列接続された少なくとも２つの前記環状コイル（４）から成る組み立て部（５）を備え，前記環状コイルのリード線は前記パルス信号発生器（２）の前記出力に接続されることを特徴とする請求項１記載の装置。
【請求項３】
前記パルス信号発生器（２）は急峻な先端及び後端を有する単極矩形信号の発生器であることを特徴とする請求項１又は２記載の装置。
【請求項４】
前記パルス信号発生器（２）は高速双極信号掃引を伴う双極矩形信号の発生器であることを特徴とする請求項１又は２記載の装置。
【請求項５】
前記アプリケータ（３）は，表面に配置される少なくとも２つの隣接する前記環状コイル（４）により構成され，前記環状コイル（４）の前記リード線は，前記パルス信号発生器（２）の前記出力に接続されることを特徴とする請求項１記載の装置。
【請求項６】
前記環状コイル（４）が配置される前記表面は球面状であることを特徴とする請求項５記載の装置。
【請求項７】
前記アプリケータ（３）は，同軸に配置され，かつ並列接続された複数の前記環状コイル（４）から成る，少なくとも２つの隣接した表面実装組み立て部（５）により構成され，前記環状コイル（４）の前記リード線は前記パルス信号発生器（２）の前記出力に接続されることを特徴とする請求項２記載の装置。
【請求項８】
並列接続された複数の前記環状コイル（４）から成る前記組み立て部（５）が配置された前記表面が球面上であることを特徴とする請求項７記載の装置。
【請求項９】
前記アプリケータ（３）は，前記焦点（７）に向かう空間的に調節可能な対称軸を有する円（８）の周囲に設置された少なくとも２つの前記環状コイル（４）により構成されることを特徴とする請求項１記載の装置。
【請求項１０】
前記アプリケータ（３）は，空間的に調節可能な前記対称軸を有する前記円（８）の周囲に，同軸に配置され，かつ並列接続された複数の前記環状コイル（４）から成る，少なくとも２つの隣接した前記組み立て部（５）により構成され，前記環状コイル（４）の前記リード線は前記パルス信号発生器（２）の前記出力に接続されることを特徴とする請求項２記載の装置。
【請求項１１】
前記環状コイル（４）は絶縁導体から成る環状コイルであり，金属製又は非金属製の保護筐体に保持されることを特徴とする請求項１又は２記載の装置。
【請求項１２】
前記環状コイル（４）は超伝導材料製であり，超伝導条件を保持するために恒温保護筐体に保持されることを特徴とする請求項１又は２記載の装置。
【手続補正２】
【補正対象書類名】明細書
【補正対象項目名】全文
【補正方法】変更
【補正の内容】
【発明の詳細な説明】
【技術分野】
【０００１】
本発明はアプリケータに接続され，パルス信号のコンピュータ制御発生器により構成された，細胞の代謝を減弱化する装置に関する。
【背景技術】
【０００２】
様々な疾病を治療するための，人体或いは人体の一部に作用する電場及び／又は磁場を使用する幾つかの装置がある。ドイツ特許公開第３３４４３９４号は，ベクトル場コイルを有する磁場を伴う治療装置に関するもので，この装置は幾つかの独立し分離供給された通常のコイルを有するコイルシステムを使用する。この発明者は，治療される体内で代謝作用が進行する全ての方向を網羅すべく，方向可変の磁場による治療効果を期待している。この装置は治療される組織を透過する磁場により作用するので，ここでは環状コイルを使用する必要はない。
【０００３】
国際特許公開ＷＯ０１／０７１１１号には，生物組織を刺激する磁環が報告されている。この出願は磁気回路を閉じる媒体中に可変電場を誘導するための閉磁場について記載している。ここでは，環状コイルが組織にあてがわれ，生理食塩水，又は，イオン流が環状コイルを流れる電流の向きとは逆向きに生じる他の導電性溶液中に配置される。この装置は導電媒体中に配置しなければ動作しない。この発明者によれば，誘導電流は，例えば性機能障害に治癒効果を示す。
【０００４】
環状コイルの重要な性質は，磁場が該環状コイルの輪の中にのみ発生し，この輪の表面の外に貫通しないということである。従って，磁場が作用すべきところには環状コイルを用いることができない。そのために，国際特許公開ＷＯ０１／０７１１１号では，環状コイルを取り囲む導電溶液によって生成される，一つの閉じた輪の中の環状コイルに誘導される電場が使用されている。
【０００５】
電気イオン装置は，生態系中の生物物理的な刺激のために細胞を活性化させる目的の米国特許公開第２００６／０１２１５９０号によっても既知であり，高電圧パルス発生器を使用している。パルスは静電結合を経て治療される組織に伝達される。装置は処理される組織を貫通する電場を経て作用するので，ここでは環状コイルは使用できない。
【０００６】
前記装置は，どれも本当に深刻な疾病の潜在的治療に効果を発揮していない。
【０００７】
今日，人々が被る最も悪質で広範囲に及ぶ疾病の一つは癌，すなわち人体における細胞の悪性腫瘍性の増殖である。
【０００８】
今日，医学はこの増殖と戦うために３つの基本的な処置を有する。それらの処置は別々に，或いはそれらを組み合わせて利用することができる。
【０００９】
第１の処置は化学療法である。これは，経口或いは静脈注射により患者に施される。化学療法の短所は，投与される化学物質が，組織にとって有害な細胞のみを標的とすることが不可能なことである。つまり，化学療法は，腫瘍細胞を破壊するだけでなく，人体にとって有益な細胞にも大きな損傷を与えるのである。従って，患者は助かることもあるが，健康を犠牲にすることが多い。
【００１０】
もう一つの処置は，手術によって悪性腫瘍を除去することである。この処置の短所は，その成否が，その周りの正常組織を含めて腫瘍全体を除去できるか否かと，更なる転移が体内に浸潤しているか否かということにかかっていることである。更に，手術を経た何らかの治療介入が，悪性腫瘍によって既に弱体化している患者の身体を更に弱体化することになる。従って，病気にもかかわらず，このような治療を切り抜けるのに十分に強靱な人だけが手術を受けることができる。
【００１１】
三番目の処置である広く行われている処置は，Ｘ線からガンマ線までの様々な種類の放射線を用いて悪性腫瘍を照射することにある。この処置の短所は，これらの放射線は放射線の道筋にある全ての組織を破壊し，照射を必要とするスポットに放射線を集中させることが困難なことである。
【００１２】
発明の主題
細胞の代謝に及ぼすパルスベクトル磁位の減衰作用を利用する装置が存在しないという事実は，アプリケータに接続されたパルス信号のコンピュータ制御発生器で構成された細胞の代謝を減弱化する装置により解決される。ここで，本発明の本質は，アプリケータがパルスベクトル磁位を生成するための少なくとも１つの絶縁導体から成る環状コイルを備えていることであり，該環状コイルはパルス信号発生器の出力に接続されている。しかし，好適な実施形態においては，アプリケータは，同軸に配置され，かつ並列接続された少なくとも２つの環状コイルから成る組み立て部を備えることもできる。環状コイルのリード線はパルス信号発生器の出力に接続されている。パルス信号発生器は非常に急峻な先端と後端とを有する単極矩形信号の発生器又は高掃引速度の双極信号を有する双極矩形信号の発生器である。
【００１３】
他の好適な実施形態において，アプリケータは表面に配置され，パルス信号発生器の出力に接続されたコイルリード線を備えた少なくとも２つの隣接する環状コイルにより構成される。これらの環状コイルを配置するのに好適な表面は球面状である。
【００１４】
他の好適な実施形態において，アプリケータは，表面に配置された，同軸に配置され，かつ並列接続された複数の環状コイルから成る少なくとも２つの隣接した組み立て部により構成され，コイルのリード線はパルス信号発生器の出力に接続される。並列接続された複数の環状コイルから成る組み立て部が配置される好適な表面は球面状である。
【００１５】
本発明の装置の更なる好適な実施形態において，アプリケータは円周上に配置され，焦点に向かう空間的に調節可能な対称軸を有する少なくとも２つの環状コイルにより構成され，該環状コイルのリード線はパルス信号発生器の出力に接続される。
【００１６】
本発明の装置の他の好適な実施形態において，アプリケータは円周上に同軸に組み立てられ，かつ並列接続された，空間的に調節可能な対称軸を有する少なくとも２つの隣接する環状コイルにより構成され，該環状コイルのリード線はパルス信号発生器の出力に接続される。
【００１７】
本発明の好適な実施形態において，環状コイルは絶縁導体から成る環状コイルであり，金属或いは非金属筐体中に配置される。
【００１８】
他の好適な実施形態において，環状コイルは超伝導材料の環状コイルであり，超伝導状態を保つために恒温保護筐体中に配置される。
【００１９】
以下，本発明を添付図面に基づき説明する。
【図面の簡単な説明】
【００２０】
【図１】本発明の装置の概略ブロック図である。
【図２】１つの環状コイルを有するアプリケータを示す。
【図３】表面に配置された複数の環状コイルを有するアプリケータを示す。
【図４】同軸に配置され，かつ並列接続された数個の環状コイルから成る，組み立て部を有するアプリケータを示す。
【図５】球面の一部に配置された複数の単独の環状コイル，或いは，同軸に配置され，かつ並列接続された複数の環状コイルを有するアプリケータを示す。
【図６】空間的に調節可能な対称軸を有し円周上に配置された，複数の単独の環状コイル，或いは，同軸に配置され，かつ並列接続された複数の環状コイルにより構成された組み立て部を有するアプリケータを示す。
【発明を実施するための形態】
【００２１】
悪性腫瘍を破壊するために用いられる現存の放射線の代わりに，悪性の成長細胞に作用する他の種類の力により，その成長を阻止することが可能かどうかを試験して，本発明の発明者は環状コイル及びそれらのコイルが発生するパルスベクトル磁位を採用した。
【００２２】
ベクトル磁位は，まず二重電場の記述との比較で磁場の記述における数学的表現により定義されたが，スカラー電位とは対照的に，その実在は想定されなかった。しかし，２０世紀の後半にその力の作用が発見された後は，この物理現象に関する見方が変わってきた。
【００２３】
固定或いは可変ベクトル磁位の実存を物理学的手法で証明する目的で，世界中で行われ論争の的となった幾つかの実験を除いて，今までに何度も測定可能な効果が検証されている。アハラノフ(Aharonov)とボーム(Bohm)によって行われた純粋な物理実験（１９５６年）により，ベクトル磁位の場の具体的効果が発見され，量子力学レベルで証明された。彼らの実験により，この場による真空中の電子移動のモーメントの変化が確立された。
【００２４】
ベクトル磁位の重要な性質は，この磁位の存在に通じる磁場の空間から分離及び絶縁された空間に，それが存在することである。この特異的な現象の直接の結論として，ベクトル磁位はおそらく基本的な重力のメカニズムであり，基本的な物理力と同格であるということを主張する仮説が現れた。しかし，この物理量を具体的用途に応用したという記録は今までなく，生体への影響を検知又は測定することに誰も成功していない。
【００２５】
非常に驚くべきことに，仮に磁場，電場，及び電磁場の作用を除いたとしても，パルスベクトル磁位が，選択された種類の生細胞中で起こる電気化学的プロセスに顕著な負の効果を有することが確立され，実験的に検証された。
【００２６】
前記知見に基づいて装置が設計された。この装置の作用は，この発明により，生体物質に及ぼすパルスベクトル磁位の破壊的かつ非可逆的効果にある。装置の基本原理を開発することにより，この装置の様々な改良設計が得られる。
【００２７】
図１における，パルスベクトル磁位の作用による細胞の代謝を減弱化する装置の接続状態を示す概略ブロック図は，コンピュータ１に制御されたパルス信号発生器２，及び，パルスベクトル磁位を発生するアプリケータ３で構成される。アプリケータ３の基本要素は，絶縁導体から成る環状コイル４或いは同軸に配置された複数の環状コイル４から成る組み立て部５である。
【００２８】
皮膚及び下皮或いは粘膜の局部治療のための，環状コイル４を有するアプリケータ３の設計変更品を図２に示す。ここで環状コイル４の破線軸は生体へのベクトル磁位の作用の方向を表す。
【００２９】
皮膚及び下皮或いは粘膜の一部の表面治療のための，表面方向に配置した環状コイル４を有するアプリケータ３の設計変更品を図３に示す。
【００３０】
集中的な作用を有する，皮膚の深部下層の局所治療のための，同軸に配置された複数の環状コイル４から成る組み立て部５を有するアプリケータ３の設計変更品を図４に示す。
【００３１】
焦点７に向かう破線の対称軸を有し，球面領域６の一部の表面に位置する，同軸に配置された複数の環状コイル４から成る複数の組み立て部５を有するアプリケータ３の設計変更品を図５に示す。ここで，アプリケータ３は最大破壊部位の外側にある細胞の損傷を抑制し，皮膚の深部下層を局所治療するように設計される。
【００３２】
焦点７に向かう空間的に調節可能な対称軸を有し，円８の周囲に配置された，複数の環状コイル４から成る複数の組み立て部５により構成された組み立て体を有するアプリケータ３の設計変更品を図６に示す。これらの環状コイル４に，パルスベクトル磁位の効果が修正できるようにプリセットパラメータ及び位相差を有するパルス信号が供給される。アプリケータ３は，治療される部位の外側にある細胞の損傷を抑制し，皮膚の深部下層の局所治療用に設計される。
【００３３】
発生器２を制御するコンピュータ１のソフトウエアにより，治療処方及び治療される生命体の反応に応じて個々の環状コイル４に入る駆動信号の重要なパラメータを全て制御することができる。アプリケータ３の種類，環状コイル４又は環状コイル４から成る組み立て部５のサイズ及び種類，並びに駆動信号のサイズ，周波数，及びパルス形状に応じて，減弱化作用は，様々な大きさの領域及び様々な深度の生体組織にもたらされることができる。
【００３４】
複数の環状コイル４から成る組み立て部５により構成されたアプリケータ３は，該アプリケータ３の方向性を強化することにより減弱化効果を増幅し，この減弱化効果は環状コイル４の対称軸において最大となる。
【００３５】
パルスベクトル磁位の場の効果はいかなる金属或いは非金属材料をも貫通するため，アプリケータ３は金属製或いは非金属製の保護筐体に収容された環状コイル４或いは環状コイル４から成る組み立て部５を有することができる。
【００３６】
単独で，或いは組み立て部５内に用いられた環状コイル４は，超伝導材料を巻き付けたもので，超伝導条件を保持する筐体に収容されていてもよい。これにより，より大きな駆動電流を用いること，特に環状コイル４の時間変動を加速することが可能となり，装置のパルスベクトル磁位の効果を増大し，装置の効果も増大する可能性がある。
【００３７】
記載された配置の利点は，球面に配置された環状コイル４或いは環状コイル４から成る組み立て部５は，それらの対称軸の焦点で最大の減弱化効果を有する一方で，個々の駆動装置の軸の経路に沿って，生体組織は少ない副作用(less negatively)でストレスを受ける。
【００３８】
アプリケータ３が空間的に調節可能な対称軸を有し，生体組織の周囲の円周上に配置する環状コイル４，或いは，環状コイル４から成る組み立て部５により構成される場合，個々の駆動パルスのサイズ，形状，期間，繰り返し周波数，及び時間シフトにより，環状コイルの決定された対称軸の焦点に最大減弱化効果を集中することが可能となる。
【産業上の利用可能性】
【００３９】
化学療法と組み合わせた生体組織への磁場及び光照射野の非接触作用に関する現在の研究結果を，特にパルスベクトル磁位の場の存在下で有利に使用し，医学的に使用される。これにより，例えば，プログラムされた刺激，また一方で，大きな面積の皮膚又は粘膜の細胞の代謝の減弱化が可能となる。パルスベクトル磁位の力の作用を応用することで，人体組織が，治療法の原則に従って，その組織を損傷する（光，Ｘ線，及び電離放射線のスペクトル領域にある）電磁場の集中作用に曝されるような治療方法において特に利点が大きい。
【００４０】
一例として，図２，３，４，及び５に示すアプリケータを用いる，皮膚，下皮，粘膜の表面の悪性腫瘍を阻止する装置が提供され，図５又は６に示すアプリケータを用いる，組織内部の悪性腫瘍を阻止する装置が提供される。
【国際調査報告】
2009539511.tif 000009
2009539511.tif 000010
2009539511.tif 000011